(57)【要約】  【課題】内パネルのスペースが少ない場合でも、ガラス窓の視界を妨げることなくキャブ内に収納ボックスを設置する。  【解決手段】キャブの１４の側面に設けられている下部ガラス窓２８の内側に一定の間隔を有してプレート３０を配置し、該プレート３０の側部３０ａ若しくは下部３０ｂを内パネル２９に固定する。下部ガラス窓２８のガラス面とプレート３０との間隙部が収納スペースとなって収納ボックス３２が構成される。【選択図】図２
2005053348.tif 000002
【特許請求の範囲】
【請求項１】
キャブの内側に上部が開口された収納ボックスを設けた建設機械に於いて、
ガラス窓の内側に一定の間隔を有してプレートを配置し、該プレートの側部若しくは下部を内パネルに固定したことを特徴とする建設機械のキャブ収納ボックス。
【請求項２】
ガラス窓の内側下部位置に設けられた請求項１記載の建設機械のキャブ収納ボックス。
【発明の詳細な説明】
【技術分野】
【０００１】
本発明は建設機械のキャブ収納ボックスに関するものであり、特に、オペレータの視界を確保したキャブ収納ボックスに関するものである。
【背景技術】
【０００２】
従来、油圧ショベルをはじめとする此種建設機械のキャブは、オペレータの視界を確保するためにガラス窓の面積が広く取られており、前面は上縁から床面近傍まで殆ど全面的にガラス窓となっていて、一方の側面に設けたドアもガラス窓が広く取られている。また、図６乃至図８に示すように、他方の側面も、上半部のガラス窓３に加えて下半部にもガラス窓４が設けられている。或いは、１枚の大きなガラス窓５を装着する場合もある。
【０００３】
ここで、此種建設機械のキャブ内にオペレータの携帯品やオプション部品等を収納する場合は、上部が開口された収納ボックス１をメタルや樹脂等の不透明な材質で形成されたキャブの内パネル２に取り付けている。しかし、前述したように、キャブにはガラス窓の占める面積が大きいため、内パネル２が限られた面積しかなく、収納ボックスの設置スペースを確保することが困難であった。
【０００４】
この不具合を解消するために、本願出願人は、窓ガラス装着用のゴムシールを用いて窓穴に直接嵌め込んだ収納ボックスを提案している（特許文献１参照）。
【特許文献１】特開２０００−２４７１８５号公報（第１〜３頁、図１〜４）。
【発明の開示】
【発明が解決しようとする課題】
【０００５】
特許文献１記載の発明は、キャブ側面の窓穴へ収納ボックスを取り付けてあるので、メタルや樹脂等の内パネルの面積が限られた建設機械であっても、キャブ内に収納ボックスの設置スペースを確保することができる。
【０００６】
しかし、収納ボックスを設置するに際してガラス窓を取り外す必要があり、取り付け作業が煩雑であった。
【０００７】
そこで、内パネルのスペースが少ない場合でも、ガラス窓の視界を妨げることなくキャブ内に収納ボックスを設置するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、キャブの内側に上部が開口された収納ボックスを設けた建設機械に於いて、ガラス窓の内側に一定の間隔を有してプレートを配置し、該プレートの側部若しくは下部を内パネルに固定した建設機械のキャブ収納ボックスを提供する。
【０００９】
ガラス窓とプレートは一定の間隔を有して平行に配置されているので、上部が開口されたこの隙間部分が収納スペースとなる。
【００１０】
請求項２記載の発明は、ガラス窓の内側下部位置に設けられた建設機械のキャブ収納ボックスを提供する。
【００１１】
収納ボックスがガラス窓の下部位置にあるので、オペレータは斜め上方から収納ボックスのプレート越しにガラス窓の外を視認することができる。
【発明の効果】
【００１２】
請求項１記載の発明は、ガラス窓の内側に一定の間隔を有してプレートを配置し、該プレートの側部若しくは下部を内パネルに固定したので、上部が開口されたこの隙間部分が収納スペースとなって、内パネルのスペースが少ない場合でも、オペレータの携帯品やオプション部品等を収納することができる。
【００１３】
請求項２記載の発明は、収納ボックスがガラス窓の内側下部位置に設けられているので、オペレータの視界を妨げることなく、ガラス窓の外を視認することができる。
【発明を実施するための最良の形態】
【００１４】
以下、本発明の一実施の形態を図１乃至図５に従って詳述する。図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１５】
図１及び図２に示すように、前記キャブの左側面にはドア１８を開閉自在に装着し、該ドア１８の上半部に上部ガラス窓１９ａを設けるとともに、その下半部に下部ガラス窓１９ｂを設けてある。運転席２０の左右にはコンソールボックス２１，２２を配置し、夫々のコンソールボックス２１，２２の上面前方部に操作レバー２３，２４が取り付けられている。
【００１６】
前記キャブ１４の前面は大面積の上部ガラス窓２５と足元の下部ガラス窓２６により、広い前方視界が確保されている。また、キャブ１４の右側面にも上部ガラス窓２７と下部ガラス窓２８が設けられている。
【００１７】
図２及び図３に示すように、前記側面の下部ガラス窓２８は内パネル２９の開口穴にゴムシールＲを介して装着されており、該内パネル２９はキャブ１４の室内側へ張り出している。そして、下部ガラス窓２８と一定の間隔を有してプレート３０を配置し、該プレート３０の側部３０ａ若しくは下部３０ｂ或いは両方を内パネル２９へ固定する。下部ガラス窓２８のガラス面と前記プレート３０は一定の間隔を有して平行に配置されているので、上部が開口されたこの間隙部３１が収納スペースとなり、収納ボックス３２が構成される。
【００１８】
而して、該収納ボックス３２の間隙部３１へオペレータの携帯品や書類等を差し込んで収納することができる。前記プレート３０は透明や半透明の材質を使用してもよいが、必ずしもそれに限定されない。たとえ不透明の材質のプレート３０を使用した場合でも、図３の矢印Ａに示すように、オペレータは斜め上方から収納ボックス３２のプレート３０越しに下部ガラス窓２８の外を視認することができる。
【００１９】
図４に示すように、前記キャブ１４の右側面には、上下に分割されない一枚の大面積のガラス窓３３を装着して、より一層視界を良好にする場合もある。そして、該ガラス窓３３の内側下部位置に、ガラス窓３３と一定の間隔を有してプレート３０を配置し、該プレート３０の側部３０ａ若しくは下部３０ｂ或いは両方を内パネル２９へ固定する。この場合も、前記ガラス窓３３のガラス面と前記プレート３０は一定の間隔を有して平行に配置されているので、上部が開口されたこの間隙部３１が収納スペースとなり、収納ボックス３２が構成される。
【００２０】
而して、図２乃至図４の何れの構成のガラス窓であっても、図５に示すように、オペレータの側方下方部に収納ボックス３２が設置されているため、オペレータの運転操作や視界を妨げることなく、オペレータの携帯品やオプション部品等を収納することができる。
【００２１】
尚、本発明は、本発明の精神を逸脱しない限り種々の改変を為すことができ、そして、本発明が該改変されたものに及ぶことは当然である。
【図面の簡単な説明】
【００２２】
【図１】本発明の一実施の形態を示し、油圧ショベルの側面図。
【図２】本発明の一実施の形態を示し、キャブの内部を示す斜視図。
【図３】本発明の一実施の形態を示し、収納ボックスの縦断面図。
【図４】本発明の他の一実施の形態を示し、キャブの内部を示す斜視図。
【図５】本発明の他の一実施の形態を示し、キャブの内部を示す解説図。
【図６】従来のキャブの内部に設けられた収納ボックスを示す解説図。
【図７】従来のキャブの内部に設けられた収納ボックスを示す解説図。
【図８】従来のキャブの内部に設けられた収納ボックスを示し、（ａ）縦断面図、（ｂ）正面図。
【符号の説明】
【００２３】
１０  油圧ショベル
１４  キャブ
２８  下部ガラス窓
２９  内パネル
３０  プレート
３１  間隙部
３２  収納ボックス
３３  ガラス窓
【図１】
2005053348.tif 000003
【図２】
2005053348.tif 000004
【図３】
2005053348.tif 000005
【図４】
2005053348.tif 000006
【図５】
2005053348.tif 000007
【図６】
2005053348.tif 000008
【図７】
2005053348.tif 000009
【図８】
2005053348.tif 000010